(57)【要約】      （修正有）【課題】屋根の上や傾斜面での作業において使い勝手がよく，高い作業能率を実現できるローラー式塗装具用の塗料収納容器と工具収納容器を提供する。【解決手段】収納容器Ｓ９で，安定脚Ａ９が容器本体Ｙ９に支承し，支承が制限され，固定できるため，傾斜面に置いても収納容器Ｓ９が水平になるように置くことができ，安定脚Ａ９の前部級台Ａ５１と後部級台Ａ５２が支承し，支承が制限されるため級台接地部ａ６２が傾斜面に密着するとともに，滑り止め効果のある接地部滑止具ａ８１を級台接地部ａ６２に接着又は，装着し，傾斜面でも安心して収納容器Ｓ９を置くことができる。刷毛が，塗料収納容器Ｓ９１の内部にある塗料の中に倒れ，刷毛把持部まで塗料に浸かってしまい，刷毛の刷毛把持部を汚さないように，容器本体Ｙ９に収納する内容器としごき扱板で，内容器の隅に刷毛置場を形設する。【選択図】図５
2012076787.tif 000002
【特許請求の範囲】
【請求項１】
容器本体Ｙ９に穿設する安定脚支承孔ｙ４１と，安定脚Ａ９に穿設する本体支承孔ａ２１に，支承金具ｋ１２を貫通させて，前記容器本体Ｙ９に前記安定脚Ａ９を具設し，前記容器本体Ｙ９に対して，前記安定脚Ａ９が振り子のように支承することを特徴とする収納容器Ｓ９。
【請求項２】
請求項１に記載の収納容器Ｓ９で，安定脚Ａ９を構成する右脚部Ａ１１と左脚部Ａ１２に具設する前部級台Ａ５１と後部級台Ａ５２は各々，級台支持部ａ６１と級台接地部ａ６２で構成していて，前記級台接地部ａ６２が傾斜面や平面に応じて支承し接地することを特徴とする収納容器Ｓ９。
【請求項３】
請求項１又は請求項２に記載の収納容器Ｓ９で，安定脚Ａ９を構成する，右脚部Ａ１１又は左脚部Ａ１２に，案内円弧型貫通溝ａ３１を形成し，容器本体Ｙ９の調整用貫通孔ｙ４２に前記容器本体Ｙ９の内側から緩締金具ｋ１１を貫通させ前記容器本体Ｙ９に固定し，緩締金具ｋ１１を前記右脚部Ａ１１又は前記左脚部Ａ１２の前記案内円弧型貫通溝ａ３１に通すことにより，傾斜面や平面に前記収納容器Ｓ９を置くと，前記案内円弧型貫通溝ａ３１の中で前記緩締金具ｋ１１が傾斜面や平面に応じて移動することを特徴とする収納容器Ｓ９。
【請求項４】
請求項１〜３項のいずれか１項に記載の収納容器Ｓ９で，安定脚Ａ９を構成する，右脚部Ａ１１と左脚部Ａ１２に，案内円弧型貫通溝ａ３１を形成し，容器本体Ｙ９の調整用貫通孔ｙ４２に前記容器本体Ｙ９の内側から緩締金具ｋ１１を貫通させ固定し，緩締金具ｋ１１を前記右脚部Ａ１１と前記左脚部Ａ１２の前記案内円弧型貫通溝ａ３１に通すことにより，傾斜面や平面に前記収納容器Ｓ９を置くと，前記案内円弧型貫通溝ａ３１の中で前記緩締金具ｋ１１が傾斜面や平面に応じて移動することを特徴とする収納容器Ｓ９。
【請求項５】
請求項１〜４項のいずれか１項に記載の収納容器Ｓ９で，緩締金具ｋ１１に調整用つまみｋ３１を配置し，前記調整用つまみｋ３１を締めると，安定脚Ａ９は固定する，また，前記調整用つまみｋ３１を緩めると，前記調整用つまみｋ３１が傾斜面や平面に応じて，前記案内円弧型貫通溝ａ３１の中で，移動することを特徴とする収納容器Ｓ９。
【請求項６】
請求項１〜５項のいずれか１項に記載の収納容器Ｓ９で，安定脚Ａ９の前部級台Ａ５１と後部級台Ａ５２の級台接地部ａ６２の接地面に，接地滑止具ａ８１を接着又は装着し，前記安定脚Ａ９が，滑り止め手段を備えていることを特徴とする収納容器Ｓ９。
【請求項７】
請求項１〜６項のいずれか１項に記載の収納容器Ｓ９で，容器本体Ｙ９の開口補強部ｙ２１から底壁ｙ１６の間に，前壁ｙ１２と後壁ｙ１３，又は，右側壁ｙ１４と左側壁ｙ１５の両壁に形成する補強板ｙ２２で，前記前壁ｙ１２と前記後壁ｙ１３又は，前記右側壁ｙ１４と前記左側壁ｙ１５の両壁に形成する一組の前記補強板ｙ２２が，並行に，又は，ほぼ並行になるように形成され，前記補強板ｙ２２の縦中心線に安定脚支承孔ｙ４１と調整用貫通孔ｙ４２が穿設されていて，前記安定脚支承孔ｙ４１と前記調整用貫通孔ｙ４２には，前記補強板ｙ２２に支承金具ｋ１２と緩締金具ｋ１１を固定するナットを埋没させる埋没凹部ｙ４３が形設されていることを特徴とする収納容器Ｓ９。
【請求項８】
請求項１〜７項のいずれか１項に記載の収納容器Ｓ９で，安定脚Ａ９の右脚部Ａ１１と左脚部Ａ１２両方の本体支承孔ａ２１の中心から案内円弧型貫通溝ａ３１に向かって放射線状に，目盛りが表示されることを特徴とする収納容器Ｓ９。
【請求項９】
請求項１〜８項のいずれか１項に記載の収納容器Ｓ９で，安定脚の前部級台Ａ５１と後部級台Ａ５２に形成する級台接地部ａ６２の上面に，右脚部Ａ１１と左脚部Ａ１２の延長線上で支承制限突起部ａ６３を形成し，前記支承制限突起部ａ６３は，前記前部級台Ａ５１，前記後部級台Ａ５１を構成する前記級台接地部ａ６２の上面の，前記右脚部Ａ１１，前記左脚部Ａ１２の延長線上に，支承を制限するために前記右脚部Ａ１１，前記左脚部Ａ１２を挟むように前記支承制限突起部ａ６３を形成していることを特徴とする収納容器Ｓ９。
【請求項１０】
請求項１〜９項のいずれか１項に記載の収納容器Ｓ９で，安定脚の前部級台Ａ５１と後部級台Ａ５２で，前記前部級台Ａ５１の一部又は全てが，前記後部級台Ａ５２につながっていることを特徴とする収納容器Ｓ９。
【請求項１１】
請求項１〜１０項のいずれか１項に記載の収納容器Ｓ９で，安定脚の前部級台Ａ５１と後部級台Ａ５２で，前記前部級台Ａ５１と前記後部級台Ａ５２が，複数枚であることを特徴とする収納容器Ｓ９。
【請求項１２】
請求項１〜１１項のいずれか１項に記載の収納容器Ｓ９に備えられ，前記補強板ｙ２２を既存の塗料収納容器や，工具・部材収納容器に接着し，安定脚Ａ９を取り付けるための前記補強板ｙ２２であって，前記補強板ｙ２２の縦中心線に，安定脚支承孔ｙ４１と調整用貫通孔ｙ４２が穿設されていて，前記安定脚支承孔ｙ４１と調整用貫通孔ｙ４２には支承金具ｋ１２と緩締金具ｋ１１を固定するナット埋没凹部ｙ４３が形設されており，前記補強板ｙ２２を既存の塗料収納容器や工具・部材収納容器に接着し，前記安定脚支承孔ｙ４１と前記調整用貫通孔ｙ４２を貫通させ，前記安定脚Ａ９を取り付けられることを特徴とする補強板ｙ２２。
【請求項１３】
請求項１〜１２項のいずれか１項に記載の収納容器Ｓ９に備えられ，容器本体に内容器Ｕ９が挿入され，前記内容器Ｕ９と一組で使用するしごき扱板Ｇ９であって，前記しごき扱板Ｇ９の右側又は左側の上部に，連結折曲部ｇ３１で連結している刷毛汚れ防止平板部ｇ２１が形成されていることを特徴とするしごき扱板Ｇ９。
【請求項１４】
請求項１〜１３項のいずれか１項に記載の収納容器Ｓ９に備えられ，容器本体に内容器Ｕ９が挿入され，しごき扱板Ｇ９と一組で使用する，前記内容器Ｕ９であって，前記内容器Ｕ９の底壁ｕ１６に一部刷毛置き底壁ｕ１７として浅い底壁を形成していることを特徴とする内容器Ｕ９。
【発明の詳細な説明】
【技術分野】
【０００１】
本発明は，作業するときに使用する収納容器Ｓ９で，塗料収納容器Ｓ９１又は工具・部材収納容器（工具箱）Ｓ９２である，収納容器Ｓ９を屋根の上などの傾斜面に置いても，滑り落ちることなく，前記収納容器Ｓ９を水平に置くために，支承する，支承を制限する，固定する，固定を解除することのできる安定脚Ａ９が，容器本体Ｙ９に装着されている，前記収納容器Ｓ９で，傾斜面でも置ける塗料収納容器Ｓ９１又は工具・部材収納容器（工具箱）Ｓ９２に関するものである。
【０００２】
また，収納容器Ｓ９の塗料収納容器Ｓ９１で，塗料収納容器Ｓ９１の容器本体Ｙ９に挿入する内容器Ｕ９には，刷毛が塗料に埋没せぬように置ける，刷毛置き底壁ｕ１７を設けていて，しごき扱板Ｇ９には，刷毛が塗料の中に倒れないように刷毛汚れ防止平板部ｇ２１を設けている，塗料収納容器Ｓ９１で使用する内容器Ｕ９としごき扱板Ｇ９関するものである。
【背景技術】
【０００３】
塗装工事を例にすると，ローラー式塗装具は，壁面や屋根等を塗装する際に，一度に多くの塗料を含浸することができ，広範囲に利点があるため，一般的に広く利用されている。
【０００４】
通常，ローラー式塗装具用の塗料収納容器は，容器本体と，前記容器本体に挿入する内容器と，しごき扱板で構成され，使用されている。
【０００５】
ローラー式塗装具を用いて塗装する場合，容器本体に内容器を挿入し，前記内容器に塗料を入れ，前記内容器の塗料をローラー式塗装具のローラー部に含浸させて，前記内容器に設置するしごき扱板で，含浸調整しながら塗装する。
【０００６】
塗装において，ローラー式塗装具を使用しての塗装では，入り隅や細部を塗装することは困難で，入り隅や細部を塗装するには，別に刷毛を使用する必要があるため，塗料収納容器の片隅に携帯し，塗装する場合が多く，塗料収納容器の置き方，持ち方によっては，刷毛が，塗料収納容器の中にある塗料に倒れ，刷毛把持部まで塗料に浸かってしまい，前記刷毛把持部を汚して作業効率を低下させる。
【０００７】
また，屋根の上で塗装する場合，傾斜面で塗料収納容器を置く場合，塗料収納容器が傾くと，塗料がこぼれるので，必ず前記塗料収納容器を片手で保持しなければならない。
【０００８】
また，前記塗料収納容器は，屋根の上では滑りやすいため，必ず，片手は前記塗料収納容器を保持し，滑らないように注意しなければならず，作業中は，右手にローラー式塗装具又は刷毛，左手に前記塗料収納容器と，両手がふさがる場合が多く，屋根の上の，塗装工事は危険であり，前記塗料収納容器を滑落させたり，作業者が屋根から転落したりする危険性があり，同様に，屋根の上などで，工具を使用して作業する場合も大変危険であり，屋根の上で，工具・部材収納容器（工具箱）を滑落させたり，作業者が屋根の上から転落したりして，最悪の場合，転落死亡事故もありえる。
【０００９】
特許文献１に開示された，ローラー式塗装具用容器は，一度使用すると，別の色に変えて使用する場合，完全に，ローラー式塗装具用容器の，塗料を洗い落とさなければならず，屋根の上などで塗装する場合，傾斜地では，ローラー式塗装具用容器に塗料を入れ，傾斜面に置く場合，ローラー式塗装具用容器が傾くと，塗料がこぼれるため，必ず，塗料がこぼれないように，片手で保持しなければならない。
【００１０】
特許文献２に開示された，刷毛入れ容器付きローラーバケット内容器は，屋根の上などの傾斜面で，塗装する場合，塗料を入れ傾斜面に置く場合，刷毛入れ容器付きローラーバケット内容器が傾くと，塗料がこぼれるため，必ず片手で保持しなければならない。また，刷毛入れ容器付きローラーバケット内容器が傾斜面では滑りやすいため，必ず片手で刷毛入れ容器付きローラーバケット内容器を保持し滑らないようにしなければならず，作業中は，右手にローラー式塗装具，左手に刷毛入れ容器付きローラーバケット内容器と両手がふさがる場合が多く，屋根の上での塗装は大変危険である。
【００１１】
特許文献３に開示された容器用台座は，容器と台座が別々になっているため，台座を設置してから容器を置かなければならず，容器の移動には大変な手間がかかる。また，傾斜面の勾配に応じて水平度の調整ができない。
【００１２】
特許文献４に開示された塗料容器は，傾斜面の勾配に応じて水平度の調整を行うとき，塗料容器内の塗料がこぼれないように特に注意を要し，一箇所しかないつまみが緩んでいるのに気がつかずに傾斜面に置くと，塗料容器内の塗料がこぼれる場合が想像される。
また，塗料容器の接地部の先端に設けたゴム材だけでは，塗料容器が屋根から滑落する不安が残るし，刷毛の置場も考案されていない。
【先行技術文献】
【特許文献】
【００１３】
【特許文献１】特開２００８−４３９２８  ローラー式塗装具用容器
【特許文献２】実用新案登録第３１３５４９４号  刷毛入れ容器付
【特許文献３】実用新案登録第３０４５３０４号  容器用台座
【特許文献４】実用新案登録第３０７３８０５号  塗料容器
【発明の概要】
【発明が解決しようとする課題】
【００１４】
本発明は，上記実情を考えてなされたものであり，
収納容器Ｓ９で，容器本体Ｙ９に，安定脚Ａ９が，支承し，支承が制限され，固定できるようにし，傾斜面に置いても前記収納容器Ｓ９が水平になるように置くことができ，前記安定脚Ａ９の前部級台Ａ５１と後部級台Ａ５２が支承し，支承が制限されるため級台接地部ａ６２が傾斜面に密着するとともに，滑り止め効果のある接地部滑止具ａ８１を前記級台接地部ａ６２に接着又は，装着し，傾斜面でも安心して前記収納容器Ｓ９を置くことができるようにする。
【００１５】
刷毛が，塗料収納容器Ｓ９１の内部にある塗料の中に倒れ，刷毛把持部まで塗料に浸かってしまい，刷毛の刷毛把持部を汚さないように，容器本体Ｙ９に挿入する内容器Ｕ９と，装着するしごき扱板Ｇ９の組合せで，前記内容器Ｕ９の隅に刷毛置場を形設するようにする。
【００１６】
屋根の上や傾斜面での作業において使い勝手がよく，高い作業能率を実現できるローラー式塗装具用の塗料収納容器Ｓ９１と工具・部材収納容器（道具箱）Ｓ９２を，提供することを解決課題としている。
【課題を解決するための手段】
【００１７】
請求項１に係わる発明は，容器本体Ｙ９に穿設する安定脚支承孔ｙ４１と，安定脚Ａ９に穿設する本体支承孔ａ２１に，支承金具ｋ１２を貫通させて，前記容器本体Ｙ９に前記安定脚Ａ９を具設し，前記容器本体Ｙ９に対して，前記安定脚Ａ９が振り子のように支承することを特徴とする収納容器Ｓ９に関する。
【００１８】
請求項２に係わる発明は，請求項１に記載の収納容器Ｓ９で，安定脚Ａ９を構成する右脚部Ａ１１と左脚部Ａ１２に具設する前部級台Ａ５１と後部級台Ａ５２は各々，級台支持部ａ６１と級台接地部ａ６２で構成していて，前記級台接地部ａ６２が傾斜面や平面に応じて支承し接地することを特徴とする収納容器Ｓ９に関する。
【００１９】
請求項３に係わる発明は，請求項１又は請求項２に記載の収納容器Ｓ９で，安定脚Ａ９を構成する，右脚部Ａ１１又は左脚部Ａ１２に，案内円弧型貫通溝ａ３１を形成し，容器本体Ｙ９の調整用貫通孔ｙ４２に前記容器本体Ｙ９の内側から緩締金具ｋ１１を貫通させ前記容器本体Ｙ９に固定し，緩締金具ｋ１１を前記右脚部Ａ１１又は前記左脚部Ａ１２の前記案内円弧型貫通溝ａ３１に通すことにより，傾斜面や平面に前記収納容器Ｓ９を置くと，前記案内円弧型貫通溝ａ３１の中で前記緩締金具ｋ１１が傾斜面や平面に応じて移動することを特徴とする収納容器Ｓ９に関する。
【００２０】
請求項４に係わる発明は，請求項１〜３項のいずれか１項に記載の収納容器Ｓ９で，安定脚Ａ９を構成する，右脚部Ａ１１と左脚部Ａ１２に，案内円弧型貫通溝ａ３１を形成し，容器本体Ｙ９の調整用貫通孔ｙ４２に前記容器本体Ｙ９の内側から緩締金具ｋ１１を貫通させ固定し，緩締金具ｋ１１を前記右脚部Ａ１１と前記左脚部Ａ１２の前記案内円弧型貫通溝ａ３１に通すことにより，傾斜面や平面に前記収納容器Ｓ９を置くと，前記案内円弧型貫通溝ａ３１の中で前記緩締金具ｋ１１が傾斜面や平面に応じて移動することを特徴とする収納容器Ｓ９に関する。
【００２１】
請求項５に係わる発明は，請求項１〜４項のいずれか１項に記載の収納容器Ｓ９で，緩締金具ｋ１１に調整用つまみｋ３１を配置し，前記調整用つまみｋ３１を締めると，安定脚Ａ９は固定する，また，前記調整用つまみｋ３１を緩めると，前記調整用つまみｋ３１が傾斜面や平面に応じて，前記案内円弧型貫通溝ａ３１の中で，移動することを特徴とする収納容器Ｓ９に関する。
【００２２】
請求項６に係わる発明は，請求項１〜５項のいずれか１項に記載の収納容器Ｓ９で，安定脚Ａ９の前部級台Ａ５１と後部級台Ａ５２の級台接地部ａ６２の接地面に，接地滑止具ａ８１を接着又は装着し，前記安定脚Ａ９が，滑り止め手段を備えていることを特徴とする収納容器Ｓ９に関する。
【００２３】
請求項７に係わる発明は，請求項１〜６項のいずれか１項に記載の収納容器Ｓ９で，容器本体Ｙ９の開口補強部ｙ２１から底壁ｙ１６の間に，前壁ｙ１２と後壁ｙ１３，又は，右側壁ｙ１４と左側壁ｙ１５の両壁に形成する補強板ｙ２２で，前記前壁ｙ１２と前記後壁ｙ１３又は，前記右側壁ｙ１４と前記左側壁ｙ１５の両壁に形成する一組の前記補強板ｙ２２が，並行に，又は，ほぼ並行になるように形成され，前記補強板ｙ２２の縦中心線に安定脚支承孔ｙ４１と調整用貫通孔ｙ４２が穿設されていて，前記安定脚支承孔ｙ４１と前記調整用貫通孔ｙ４２には，前記補強板ｙ２２に支承金具ｋ１２と緩締金具ｋ１１を固定するナットを埋没させる埋没凹部ｙ４３が形設されていることを特徴とする収納容器Ｓ９に関する。
【００２４】
請求項８に係わる発明は，請求項１〜７項のいずれか１項に記載の収納容器Ｓ９で，安定脚Ａ９の右脚部Ａ１１と左脚部Ａ１２両方の本体支承孔ａ２１の中心から案内円弧型貫通溝ａ３１に向かって放射線状に，目盛りが表示されることを特徴とする収納容器Ｓ９に関する。
【００２５】
請求項９に係わる発明は，請求項１〜８項のいずれか１項に記載の収納容器Ｓ９で，安定脚の前部級台Ａ５１と後部級台Ａ５２に形成する級台接地部ａ６２の上面に，右脚部Ａ１１と左脚部Ａ１２の延長線上で支承制限突起部ａ６３を形成し，前記支承制限突起部ａ６３は，前記前部級台Ａ５１，前記後部級台Ａ５１を構成する前記級台接地部ａ６２の上面の，前記右脚部Ａ１１，前記左脚部Ａ１２の延長線上に，支承を制限するために、前記右脚部Ａ１１，前記左脚部Ａ１２を挟むように前記支承制限突起部ａ６３を形成していることを特徴とする収納容器Ｓ９に関する。
【００２６】
請求項１０に係わる発明は，請求項１〜９項のいずれか１項に記載の収納容器Ｓ９で，安定脚の前部級台Ａ５１と後部級台Ａ５２で，前記前部級台Ａ５１の一部又は全てが，前記後部級台Ａ５２につながっていることを特徴とする収納容器Ｓ９に関する。
【００２７】
請求項１１に係わる発明は，請求項１〜１０項のいずれか１項に記載の収納容器Ｓ９で，安定脚の前部級台Ａ５１と後部級台Ａ５２で，前記前部級台Ａ５１と前記後部級台Ａ５２が，複数枚であることを特徴とする収納容器Ｓ９に関する。
【００２８】
請求項１２に係わる発明は，請求項１〜１１項のいずれか１項に記載の収納容器Ｓ９に備えられ，前記補強板ｙ２２を既存の塗料収納容器や，工具・部材収納容器に接着し，安定脚Ａ９を取り付けるための前記補強板ｙ２２であって，前記補強板ｙ２２の縦中心線に，安定脚支承孔ｙ４１と調整用貫通孔ｙ４２が穿設されていて，前記安定脚支承孔ｙ４１と調整用貫通孔ｙ４２には支承金具ｋ１２と緩締金具ｋ１１を固定するナット埋没凹部ｙ４３が形設されており，前記補強板ｙ２２を既存の塗料収納容器や工具・部材収納容器に接着し，前記安定脚支承孔ｙ４１と前記調整用貫通孔ｙ４２を貫通させ，前記安定脚Ａ９を取り付けられることを特徴とする補強板ｙ２２に関する。
【００２９】
請求項１３に係わる発明は，請求項１〜１２項のいずれか１項に記載の収納容器Ｓ９に備えられ，容器本体に内容器Ｕ９が挿入され，前記内容器Ｕ９と一組で使用するしごき扱板Ｇ９であって，前記しごき扱板Ｇ９の右側又は左側の上部に，連結折曲部ｇ３１で連結している刷毛汚れ防止平板部ｇ２１が形成されていることを特徴とするしごき扱板Ｇ９に関する。
【００３０】
請求項１４に係わる発明は，請求項１〜１３項のいずれか１項に記載の収納容器Ｓ９に備えられ，容器本体に内容器Ｕ９が挿入され，しごき扱板Ｇ９と一組で使用する，前記内容器Ｕ９であって，前記内容器Ｕ９の底壁ｕ１６に一部刷毛置き底壁ｕ１７として浅い底壁を形成していることを特徴とする内容器Ｕ９に関する。
【発明の効果】
【００３１】
請求項１に係わる発明によれば，容器本体Ｙ９に穿設する安定脚支承孔ｙ４１と，安定脚Ａ９に穿設する本体支承孔ａ２１に，支承金具ｋ１２を貫通させて，前記容器本体Ｙ９に前記安定脚Ａ９を具設し，前記容器本体Ｙ９に対して，前記安定脚Ａ９が振り子のように支承する，そのため，前記容器本体Ｙ９に形設されている持手ｙ６１で持ち傾斜面に置くだけで，前記容器本体Ｙ９が，簡単に水平になるように，調整できる機能を有する。
【００３２】
請求項２に係わる発明によれば，請求項１に記載の収納容器Ｓ９で，安定脚Ａ９を構成する右脚部Ａ１１と左脚部Ａ１２に具設する前部級台Ａ５１と後部級台Ａ５２は各々，級台支持部ａ６１と級台接地部ａ６２で構成していて，前記級台接地部ａ６２が傾斜面や平面に応じて支承し接地する，そのため，前記前部級台Ａ５１と前記後部級台Ａ５２の級台接地部ａ６２が，傾斜面に平行になるように，接地することができる。
【００３３】
請求項３に係わる発明によれば，請求項１又は請求項２に記載の収納容器Ｓ９で，安定脚Ａ９を構成する，右脚部Ａ１１又は左脚部Ａ１２に，案内円弧型貫通溝ａ３１を形成し，容器本体Ｙ９の調整用貫通孔ｙ４２に前記容器本体Ｙ９の内側から緩締金具ｋ１１を貫通させ前記容器本体Ｙ９に固定し，緩締金具ｋ１１を前記右脚部Ａ１１又は前記左脚部Ａ１２の前記案内円弧型貫通溝ａ３１に通すことにより，傾斜面や平面に前記収納容器Ｓ９を置くと，前記案内円弧型貫通溝ａ３１の中で前記緩締金具ｋ１１が傾斜面や平面に応じて移動する，そのため，前記安定脚Ａ９が，前記案内円弧型貫通溝ａ３１の範囲で，支承を制限できる。
【００３４】
請求項４に係わる発明によれば，請求項１〜３項のいずれか１項に記載の収納容器Ｓ９で，安定脚Ａ９を構成する，右脚部Ａ１１と左脚部Ａ１２に，案内円弧型貫通溝ａ３１を形成し，容器本体Ｙ９の調整用貫通孔ｙ４２に前記容器本体Ｙ９の内側から緩締金具ｋ１１を貫通させ固定し，緩締金具ｋ１１を前記右脚部Ａ１１と前記左脚部Ａ１２の前記案内円弧型貫通溝ａ３１に通すことにより，傾斜面や平面に前記収納容器Ｓ９を置くと，前記案内円弧型貫通溝ａ３１の中で前記緩締金具ｋ１１が傾斜面や平面に応じて移動する，そのため，前記案内円弧型貫通溝ａ３１の範囲で，前記安定脚Ａ９の支承を制限できる。
【００３５】
請求項５に係わる発明によれば，請求項１〜４項のいずれか１項に記載の収納容器Ｓ９で，緩締金具ｋ１１に調整用つまみｋ３１を配置し，前記調整用つまみｋ３１を締めると，安定脚Ａ９は固定する，また，前記調整用つまみｋ３１を緩めると，前記調整用つまみｋ３１が傾斜面や平面に応じて，前記案内円弧型貫通溝ａ３１の中で，移動する，そのため，傾斜面に置き，容器本体Ｙ９に形設される持手ｙ６１を軽く保持し，前記調整用つまみｋ３１を，軍手をしている手でも，簡単に締めることができ，請求項４の発明の場合は，前記緩締金具ｋ１１に設置する前記調整用つまみｋ３１は２箇所となり，両方の前記調整用つまみｋ３１を締める事により，前記安定脚Ａ９は確実に固定される。
【００３６】
請求項６に係わる発明によれば，請求項１〜５項のいずれか１項に記載の収納容器Ｓ９で，安定脚Ａ９の前部級台Ａ５１と後部級台Ａ５２の級台接地部ａ６２の接地面に，接地滑止具ａ８１を接着又は装着し，前記安定脚Ａ９が，滑り止め手段を備えている，そのため，屋根などの傾斜面から，前記収納容器Ｓ９が，滑り落ちることを防止できる。
【００３７】
請求項７に係わる発明によれば，請求項１〜６項のいずれか１項に記載の収納容器Ｓ９で，容器本体Ｙ９の開口補強部ｙ２１から底壁ｙ１６の間に，前壁ｙ１２と後壁ｙ１３，又は，右側壁ｙ１４と左側壁ｙ１５の両壁に形成する補強板ｙ２２で，前記前壁ｙ１２と前記後壁ｙ１３又は，前記右側壁ｙ１４と前記左側壁ｙ１５の両壁に形成する一組の前記補強板ｙ２２が，並行に，又は，ほぼ並行になるように形成され，前記補強板ｙ２２の縦中心線に安定脚支承孔ｙ４１と調整用貫通孔ｙ４２が穿設されていて，前記安定脚支承孔ｙ４１と前記調整用貫通孔ｙ４２には，前記補強板ｙ２２に支承金具ｋ１２と緩締金具ｋ１１を固定するナットを埋没させる埋没凹部ｙ４３が形設されている，そのため，安定脚Ａ９は，支承も調整もスムーズに行われる。
【００３８】
請求項８に係わる発明によれば，請求項１〜７項のいずれか１項に記載の収納容器Ｓ９で，安定脚Ａ９の右脚部Ａ１１と左脚部Ａ１２両方の本体支承孔ａ２１の中心から案内円弧型貫通溝ａ３１に向かって放射線状に，目盛りが表示される，そのため，前記案内円弧型貫通溝ａ３１の中で移動する調整用つまみｋ３１の停止する位置で，目盛りを読めば，前記収納容器Ｓ９の置いてある，屋根の上の勾配を明確に知ることができる。
【００３９】
請求項９に係わる発明によれば，請求項１〜８項のいずれか１項に記載の収納容器Ｓ９で，安定脚の前部級台Ａ５１と後部級台Ａ５２に形成する級台接地部ａ６２の上面に，右脚部Ａ１１と左脚部Ａ１２の延長線上で支承制限突起部ａ６３を形成し，前記支承制限突起部ａ６３は，前記前部級台Ａ５１，前記後部級台Ａ５１を構成する前記級台接地部ａ６２の上面の，前記右脚部Ａ１１，前記左脚部Ａ１２の延長線上に，支承を制限するために前記右脚部Ａ１１，前記左脚部Ａ１２を挟むように前記支承制限突起部ａ６３を形成している，そのため，前記前部級台Ａ５１と前記後部級台Ａ５２が必要以上に支承するのを制限し，設定した，前記収納容器Ｓ９が置ける最大の勾配の傾斜面に置いた際に，支承制限突起部ａ６３が，前記右脚部Ａ１１と前記左脚部Ａ１２に接触して，支承を制限する。
【００４０】
請求項１０に係わる発明によれば，請求項１〜９項のいずれか１項に記載の収納容器Ｓ９で，安定脚の前部級台Ａ５１と後部級台Ａ５２で，前記前部級台Ａ５１の一部又は全てが，前記後部級台Ａ５２につながっている，そのため，接地面が広いため，屋根などの傾斜面から前記収納容器Ｓ９が，滑り落ちることを，より確実に防止できる。
【００４１】
請求項１１に係わる発明によれば，請求項１〜１０項のいずれか１項に記載の収納容器Ｓ９で，安定脚の前部級台Ａ５１と後部級台Ａ５２で，前記前部級台Ａ５１と前記後部級台Ａ５２が，複数枚である，そのため，複数枚の前記前部級台Ａ５１と前記後部級台Ａ５２を組み合わせることで，いろいろな寸法の収納容器Ｓ９に対応できる。
【００４２】
請求項１２に係わる発明によれば，請求項１〜１１項のいずれか１項に記載の収納容器Ｓ９に備えられ，前記補強板ｙ２２を既存の塗料収納容器や，工具・部材収納容器に接着し，安定脚Ａ９を取り付けるための前記補強板ｙ２２であって，前記補強板ｙ２２の縦中心線に，安定脚支承孔ｙ４１と調整用貫通孔ｙ４２が穿設されていて，前記安定脚支承孔ｙ４１と調整用貫通孔ｙ４２には支承金具ｋ１２と緩締金具ｋ１１を固定するナット埋没凹部ｙ４３が形設されており，前記補強板ｙ２２を既存の塗料収納容器や工具・部材収納容器に接着し，前記安定脚支承孔ｙ４１と前記調整用貫通孔ｙ４２を貫通させ，前記安定脚Ａ９を取り付けられる，そのため，既存の塗料収納容器や工具・部材収納容器に前記安定脚Ａ９を取り付けることにより屋根の上や傾斜面に安心して塗料収納容器や工具収納容器（工具箱）を置くことができ，屋根の上の作業が安全に作業ができる。
【００４３】
請求項１３に係わる発明によれば，請求項１〜１２項のいずれか１項に記載の収納容器Ｓ９に備えられ，容器本体に内容器Ｕ９が挿入され，前記内容器Ｕ９と一組で使用するしごき扱板Ｇ９であって，前記しごき扱板Ｇ９の右側又は左側の上部に，連結折曲部ｇ３１で連結している刷毛汚れ防止平板部ｇ２１が形成されている，そのため，前記刷毛汚れ防止平板部ｇ２１を連結折曲部ｇ３１から折りまげて立ち上げると刷毛を置く場所を形設できる。これにより刷毛が内容器Ｕ９の内部にある塗料の中に倒れ刷毛把持部を汚したり，ローラー塗装具のローラー部の塗料が，刷毛の刷毛把持部を汚したりして，作業効率を低下させることはない。
【００４４】
請求項１４に係わる発明によれば，請求項１〜１３項のいずれか１項に記載の収納容器Ｓ９に備えられ，容器本体に内容器Ｕ９が挿入され，しごき扱板Ｇ９と一組で使用する，前記内容器Ｕ９であって，前記内容器Ｕ９の底壁ｕ１６に一部刷毛置き底壁ｕ１７として浅い底壁を形成している，そのため，請求項７に係わる発明である前記しごき扱板Ｇ９と一緒に，使用すると，刷毛把持部まで塗料に浸かることもなく，刷毛の刷毛把持部を汚し，作業効率を低下させることもない。
【図面の簡単な説明】
【００４５】
【図１】収納容器を構成する収納容器で，容器本体と安定脚の正面図である。
【図２】支承する安定脚と調整用つまみ付近の，断面図である。
【図３】安定脚の支承する級台（前部級台と後部級台の両側）付近の拡大断面図である。
【図４】容器本体に安定脚を取り付ける，そして，平坦地で支承する側面図である。
【図５】容器本体に安定脚を取り付ける，そして，傾斜面で支承する側面図である。
【図６】容器本体に安定脚を取り付ける，そして，傾斜面で支承する別の側面図である。
【図７】容器本体の正面図である。
【図８】容器本体の側面図である。
【図９】しごき扱板の図である。
【図１０】塗料収納内容器の上面図と側面図である。
【図１１】しごき扱板Ｇ９と内容器Ｕ９の説明図である。
【発明を実施するための形態】
【００４６】
以下，本発明に係わる収納容器Ｓ９のうち，一例として，塗料収納容器Ｓ９１の実地するための形態を説明する。なお，下記実地例及び図面は，本発明を何ら限定するものではない。
【００４７】
図１は，本発明の収納容器Ｓ９で，容器本体Ｙ９と安定脚Ａ９の正面図である。
図２は，本発明の収納容器Ｓ９で，容器本体Ｙ９に安定脚Ａ９を取り付け，支承する安定脚Ａ９と調整用つまみｋ３１付近の，断面図である。
図３は，本発明の収納容器Ｓ９で，安定脚Ａ９の支承する級台（前部級台Ａ５１と後部級台Ａ５２の両側）付近の拡大断面図である。
図４は，容器本体に安定脚を取り付ける，そして，平坦地で支承する側面図で，案内円弧型貫通溝ａ３１と調整用つまみｋ３１の説明図である。
図５は，容器本体に安定脚を取り付ける，そして，傾斜面で支承する側面図で，案内円弧型貫通溝ａ３１と調整用つまみｋ３１の説明図であり，図が示すように右上がりの傾斜面では，調整つまみｋ３１は，案内円弧型貫通溝ａ３１の左側に位置する。また，本体支承孔ａ２１の中心から放射状に案内円弧型貫通溝ａ３１に傾斜面の角度を記載することにより屋根の上などの勾配がよくわかる。
図６は，容器本体に安定脚を取り付ける，そして，傾斜面で支承する別の側面図で，安定脚の前部級台Ａ５１と後部級台Ａ５２で，前記前部級台Ａ５１の一部又は全てが，前記後部級台Ａ５２につながっている。
図７は，容器本体Ｙ９単体の正面図である。
図８は，容器本体Ｙ９単体の側面図である。
図９は，しごき扱板Ｇ９の刷毛汚れ防止平板部ｇ２１と連結折曲部ｇ３１の説明図である。
図１０は，内容器Ｕ９の説明図である。
図１１は，しごき扱板Ｇ９と内容器Ｕ９の説明図である。
【００４８】
本発明の塗料収納容器Ｓ９１は，容器本体Ｙ９に安定脚Ａ９が，どのように，支承し，支承を制限し，固定し，固定を解除するように取り付けられているかを説明する。
また，安定脚Ａ９を構成している右脚部Ａ１１と左脚部Ａ１２に前部級台Ａ５１と後部級台Ａ５２がどのように，支承し，支承を制限し，固定するように取り付けられているかを説明する。
（００１）容器本体Ｙ９の両側の，補強板に穿設されている安定脚支承孔ｙ４１に容器本体Ｙ９の内側から支承金具ｋ１２を通し，安定脚支承孔ｙ４１のナット埋没凹部ｙ４３にナットｋ２１を埋没させ，前記ナットｋ２１で支承金具ｋ１２を固定する。
（００２）容器本体Ｙ９の両側に形成される補強板ｙ２２に穿設されている調整用貫通孔ｙ４２に容器本体Ｙ９の内側から緩締金具ｋ１１を通し，調整用貫通孔ｙ４２のナット埋没凹部ｙ４３にナットｋ２１を埋没させ，前記ナットｋ２１で緩締金具ｋ１１を固定する。
（００３）右脚部Ａ１１と左脚部Ａ１２に穿設されている本体支承孔ａ２１に，容器本体Ｙ９の両側に固定させた支承金具ｋ１２を通し，支承するように若干すき間を空けＷナットｋ２１で前記右脚部Ａ１１と前記左脚部Ａ１２が支承するように組み立てる。
（００４）その時，右脚部Ａ１１と左脚部Ａ１２に穿設されている案内円弧型貫通溝ａ３１に容器本体Ｙ９の両側に固定させた緩締金具ｋ１１に通し，調整用つまみｋ３１を取り付ける。
（００５）右脚部Ａ１１と左脚部Ａ１２には，各々２箇所の級台取付孔ａ２２が穿設され，左脚部Ａ１２の前側（容器本体Ｙ９の前壁ｙ１２側）に穿設されている級台取付孔ａ２２の外側から取付金具ｋ１３を通し，前部級台Ａ５１に形成している級台支持部ａ６１に穿設している級台支承孔ａ７１に取付金具ｋ１３を通す。
（００６）次に右脚部ＡＩＩの前側（容器本体Ｙ９の前壁ｙ１２側）に穿設されている級台取付孔ａ２２の外側から取付金具ｋ１３を通しＷナットｋ２１で固定する。
（００７）上述のようにして，前部級台Ａ５１が支承するように取り付けるが，後部級台Ａ５２も同様にして取り付ける。
（００８）このようにして取り付けられた前部級台Ａ５１と後部級台Ａ５２には，級台接地部ａ６２が形成されていて，前記級台接地部ａ６２には，ゴム質の接地部滑止具ａ８１を接着する。
（００９）前部級台Ａ５１と後部級台Ａ５２の支承を制限するため支障制限突起部ａ６３
を，右脚部Ａ１１と左脚部Ａ１２の延長線上に，前部級台Ａ５１と後部級台Ａ５２の上面に形成する
（０１０）安定脚Ａ９の両側に構設される調整用つまみｋ３１を緩めて，軽く持手ｙ６１を持って，塗料収納容器Ｓ９１を水平にしておくと自動的に調整用つまみｋ３１が案内円弧型貫通溝ａ３１の範囲で移動する。
（０１１）移動した調整用つまみｋ３１が停止したところで前記調整用つまみｋ３１を締める事により安定脚Ａ９は固定される。
（０１２）また，右脚部Ａ１１と左脚部Ａ１２各々にある調整用つまみｋ３１を全て締める事により片側の調整用つまみｋ３１が緩んでももう一方の調整用つまみｋ３１が締まっていれば，塗料収納容器Ｓ９１の安定脚Ａ９は固定されているため塗料収納容器Ｓ９１の水平は守られる。なお，前記調整用つまみｋ３１は，軍手をしていても回せる大きさで，調整用つまみｋ３１の裏面はゴム質の抵抗材が接着しているのが望ましい。
【００４９】
容器本体Ｙ９の形状及び構成を説明する。
（００１）容器本体Ｙ９は，硬質のプラスチック，ＡＢＳ，金属などの容器に適する素材が挙げられる。
（００２）容器本体Ｙ９は，前壁ｙ１２，後壁ｙ１３，右側壁ｙ１４，左側壁ｙ１５，底壁ｙ１６で形成されていて，上部がすべて開口されている。
（００３）容器本体Ｙ９の開口部ｙ１１の周りにある前壁ｙ１２，後壁ｙ１３，右側壁ｙ１４，左側壁ｙ１５の開口部側には，開口補強部ｙ２１が形成されている。それは，開口部を補強するためである。
（００４）容器本体Ｙ９の前壁ｙ１２の開口補強部ｙ２１には，内容器保持突起ｙ３２が形設されている。それは，塗料を入れる内容器Ｕ９を容器本体Ｙ９に保持するためである。
（００５）容器本体Ｙ９の後壁ｙ１３の開口補強部ｙ２１には，係止フックｙ５１が形設されている。それは，ローラー刷毛塗装具を係止めするためである。
（００６）容器本体Ｙ９の右側壁ｙ１４，左側壁ｙ１５の開口補強部ｙ２１には，持手保持突起ｙ３１が形設されている。それは，持ち運びに便利なように可動する持手ｙ６１が備えられる。
（００７）右側壁ｙ１４と左側壁ｙ１５には，補強板ｙ２２が開口補強部ｙ２１から底壁ｙ１６にかけて，各々の側壁（右側壁ｙ１４，左側壁ｙ１５）の中央部に形設されている。それは，容器本体Ｙ９の補強と，安定脚支承孔ｙ４１と調整用貫通孔ｙ４２を穿設し右脚部Ａ１１と左脚部Ａ１２を取り付けたときに，右脚部Ａ１１と左脚部Ａ１２が平行になるようにする為である。
（００８）補強板ｙ２２には，安定脚支承孔ｙ４１と調整用貫通孔ｙ４２を穿設し，前記安定脚支承孔ｙ４１と前記調整用貫通孔ｙ４２には，ナット埋没凹部ｙ４３を形設している。それは，緩締金具ｋ１１と支承金具ｋ１２を容器本体Ｙ９に固定するためで，固定することにより安定脚Ａ９が支承すると，傾斜面での調整が自動的にまた，スムーズに行うためである。
【００５０】
次に，安定脚Ａ９の形状及び構成を説明する。
（００１）安定脚Ａ９は，右脚部Ａ１１と左脚部Ａ１２と前部級台Ａ５１と後部級台Ａ５２で構成されて，硬質のプラスチック，ＡＢＳ，金属などの安定脚に適する素材が挙げられる。
（００２）安定脚Ａ９の右脚部Ａ１１と左脚部Ａ１２には，容器本体Ｙ９に支承する為の本体支承孔ａ２１と，調整つまみｋ３１を案内する案内円弧型貫通溝ａ３１と，前部級台Ａ５１と後部級台Ａ５２を取り付ける級台取付孔ａ２２が２箇所穿設されている。
（００３）前部級台Ａ５１と後部級台Ａ５２には，支承する為の級台支承孔ａ７１が穿設されている。
（００４）安定脚Ａ９の前部級台Ａ５１と後部級台Ａ５２の級台接地部ａ６２には，凹凸のあるゴム質の接地部滑止具ａ８１が接着されている，若しくは，装着している。それは，傾斜面での滑り止めを目的としている。
（００５）安定脚Ａ９の右脚部Ａ１１と左脚部Ａ１２は，前部級台Ａ５１と後部級台Ａ５２が支承するように，２本の取付金具ｋ１３によって連結されている。それは，傾斜面で，前部級台Ａ５１と後部級台Ａ５２に接着している若しくは，装着している接地部滑止具ａ８１が，接地面に平行になるようにして接地することにより，屋根の上などの傾斜面から収納容器Ｓ９が滑落することを確実に防止するためである。
（００６）
安定脚Ａ９の前部級台Ａ５１と後部級台Ａ５２には，支障制限突起部ａ６３が形成されている，それは，前記前部級台Ａ５１と前記後部級台Ａ５２の支承を制限するためで，制限することで，前記前部級台Ａ５１と前記後部級台Ａ５２の級台接地部ａ６２に接着又は，装着している接地部滑止具ａ８１が，傾斜面に確実に密着する為と，本発明の収納容器Ｓ９の置ける勾配を制限する為である。
【００５１】
本発明の塗料収納容器Ｓ９１の容器本体Ｙ９に装着して必ず使用する内容器Ｕ９としごき扱板Ｇ９の形状及び構成と実施例を下記に記す。
（００１）内容器Ｕ９は，六面体の形状をしている。
（００２）内容器Ｕ９は，前壁ｕ１２，後壁ｕ１３，右側壁ｕ１４，左側壁ｕ１５，底壁ｕ１６で形成されていて，上部すべてが開口されている。
（００３）内容器Ｕ９は，開口部ｕ１１の周りにある前壁ｕ１２，後壁ｕ１３，右側壁ｕ１４，左側壁ｕ１５の開口部側には，開口部返しｕ２１が形成されている。それは，開口部を補強するためである。
（００４）内容器Ｕ９は，前壁ｕ１２の開口部返しｕ２１には，保持穴ｕ３１が形設されている。それは，容器本体Ｙ９の内容器保持突起ｙ３２に引っかけるためで，内容器Ｕ９を容器本体Ｙ９に保持するためである。
（００５）内容器Ｕ９の後壁ｕ１３の底壁ｕ１６には，浅い底壁である刷毛置き底壁ｕ１７が形設されている。それは，刷毛把持部まで塗料に浸かってしまわないようにするためである。
（００６）しごき扱板Ｇ９は，若干厚みのある長方形の形をしている。
（００７）しごき扱板Ｇ９は，網部ｇ１２の周りに枠ｇ１１が形設されている，
（００８）枠ｇ１１の上部に縁掛け部ｇ１３が配設され，下部に塗料を通すための足部ｇ１４が形成されている。
（００９）しごき扱板Ｇ９の右側又は，左側の上部の網部ｇ１２と枠ｇ１１の一部に刷毛汚れ防止平板部ｇ２１が形成され，刷毛汚れ防止平板部ｇ２１の下側はしごき扱板Ｇ９と切断され，刷毛汚れ防止平板部ｇ２１の側面は，連結折曲部ｇ３１で，連結していて折りまげることができる。
（０１０）内容器Ｕ９は，容器本体Ｙ９に装着して収納する塗料が，容器本体を汚さないようにする為と，内容器Ｕ９を取り替えるだけで，別の塗料で塗装ができる。
（０１１）しごき扱板Ｇ９は，ローラー式塗装具に含浸している余分な塗料を取り除き，調整する為のものである。
（０１２）しごき扱板Ｇ９に形成している刷毛汚れ防止平板部ｇ２１を連結折曲部ｇ３１より折りまげて，刷毛汚れ防止平板部ｇ２１を立ち上げることによりできる空間に刷毛を置け，しごき扱板Ｇ９の，刷毛汚れ防止平板部ｇ２１の下方に残された網部が，刷毛が前壁の方にずれるのを防ぎ，刷毛汚れ防止平板部ｇ２１が刷毛が倒れる事を防止し，ローラー式塗装具を使用する時に，刷毛を汚さないようにする防止板である。
（０１３）内容器Ｕ９に形成されている刷毛置き底壁ｕ１７が底壁ｕ１６より浅いため，刷毛が浸かりすぎることを防止する。
（０１４）内容器Ｕ９に形成されている刷毛置き底壁ｕ１７は，装着するしごき扱板Ｇ９の，刷毛汚れ防止平板部ｇ２１の下のみ浅い底壁（刷毛置き底壁ｕ１７）で形成でもよい。
（０１５）内容器Ｕ９を容器本体Ｙ９に装着するには，容器本体Ｙ９の内容器保持突起ｙ３２に内容器Ｕ９の開口部返しｕ２１に形成する保持穴ｕ３１にはめ込み保持させる。
（０１６）内容器Ｕ９に形成する刷毛置き底壁ｕ１７が，容器本体Ｙ９の後壁ｙ１３側になる。
（０１７）次にしごき扱板Ｇ９を容器本体Ｙ９の後壁ｙ１３側に取り付ける。しごき扱板Ｇ９の縁掛け部ｇ１３を容器本体Ｙ９の開口補強部ｙ２１にはめ込む。
（０１８）塗料を入れローラー刷毛塗装具を係止フックｙ５１に引っかけ，刷毛置き底壁ｕ１７に刷毛を置き，塗装するときは，ローラー刷毛塗装具，刷毛どちらかを使用して作業を行うことができる。
【符号の説明】
【００５２】
Ｓ９    収納容器
Ｓ９１  塗料収納容器
Ｓ９２  工具・部材収納容器（工具箱）
Ｙ９    容器本体
ｙ１１  開口部
ｙ１２  前壁
ｙ１３  後壁
ｙ１４  右側壁
ｙ１５  左側壁
ｙ１６  底壁
ｙ２１  開口補強部
ｙ２２  補強板
ｙ３１  持手保持突起
ｙ３２  内容器保持突起
ｙ４１  安定脚支承孔
ｙ４２  調整用貫通孔
ｙ４３  ナット埋没凹部
ｙ５１  係止フック
ｙ６１  持手
Ａ９    安定脚
Ａ１１  右脚部
Ａ１２  左脚部
ａ２１  本体支承孔
ａ２２  級台取付孔
ａ３１  案内円弧型貫通溝
Ａ５１  前部級台
Ａ５２  後部級台
ａ６１  級台支持部
ａ６２  級台接地部
ａ６３  支障制限突起部
ａ７１  級台支承孔
ａ８１  接地部滑止具
Ｋ９    金具類
ｋ１１  緩締金具
ｋ１２  支承金具
ｋ１３  取付金具
ｋ２１  ナット
ｋ３１  調整用つまみ
Ｕ９    内容器
ｕ１１  開口部
ｕ１２  前壁
ｕ１３  後壁
ｕ１４  右側壁
ｕ１５  左側壁
ｕ１６  底壁
ｕ１７  刷毛置き底壁
ｕ２１  開口部返し
ｕ３１  保持穴
Ｇ９    しごき扱板
ｇ１１  枠
ｇ１２  網部
ｇ１３  縁掛け部
ｇ１４  足部
ｇ２１  刷毛汚れ防止平板部
ｇ３１  連結折曲部
ｇ４１  空間
【図１】
2012076787.tif 000003
【図２】
2012076787.tif 000004
【図３】
2012076787.tif 000005
【図４】
2012076787.tif 000006
【図５】
2012076787.tif 000007
【図６】
2012076787.tif 000008
【図７】
2012076787.tif 000009
【図８】
2012076787.tif 000010
【図９】
2012076787.tif 000011
【図１０】
2012076787.tif 000012
【図１１】
2012076787.tif 000013